(57)【特許請求の範囲】
【請求項１】
第１支持体と第２支持体とで、粘着体を取り付け可能な側面体を組み替え可能に支持し、
該側面体が、回転可能に取り付けられていることを特徴とする、飛翔害虫用トラップ。
【請求項２】
側面体の回転が、側面体の上端及び下端に各々形成された突起体を、第１支持体、第２支持体に形成された差込部に各々差し込むことで可能になることを特徴とする、上記請求項１に記載の飛翔害虫用トラップ。
【請求項３】
第１支持体と第２支持体とが、四角形状であることを特徴とする、上記請求項１または２に記載の飛翔害虫用トラップ。
【請求項４】
第１支持体と第２支持体とが、三角形状であることを特徴とする、上記請求項１または２に記載の飛翔害虫用トラップ。
【請求項５】
内部に誘引剤を設置することを特徴とする、上記請求項１〜４のいずれか一つに記載の飛翔害虫用トラップ。
【請求項６】
誘引剤の設置を、開閉可能なメッシュ保持面で固形状の誘引剤を挟み込むことが可能であると共に、揮発性の誘引剤を収めたボトルを保持することが可能な誘引剤ホルダーを用いることで行うことを特徴とする、上記請求項５に記載の飛翔害虫用トラップ。
【発明の詳細な説明】
【技術分野】
【０００１】
本発明は、飛翔害虫用組立トラップに関する。
【背景技術】
【０００２】
飛翔害虫用トラップとして、例えば、特許文献１に記載のものが知られている。
【０００３】
該トラップは、上面体と底面体と側面体とで構成され、内部が空洞である本体の内部空間に、誘引剤を設置し、該本体の側面体の主に裏面に粘着物を取り付けると共に縦長のスリットを形成したものである。
【発明の概要】
【発明が解決しようとする課題】
【０００４】
しかしながら、特許文献１に記載のトラップは、使用者の目的や昆虫の生態に合わせて使用することができなかった。
すなわち、該トラップは、形状を変化させることができず、虫の生態にあわせた効果的な使い方ができなかった。
【０００５】
従って、本発明の解決しようとする課題は、使用者の目的や昆虫の生態に合わせて使用することができるトラップを提供することにある。
【課題を解決するための手段】
【０００６】
第１に、
第１支持体と第２支持体とで、粘着体を取り付け可能な側面体を組み替え可能に支持し、
該側面体が、回転可能に取り付けられていることを特徴とする、飛翔害虫用トラップ。
第２に、
側面体の回転が、側面体の上端及び下端に各々形成された突起体を、第１支持体、第２支持体に形成された差込部に各々差し込むことで可能になることを特徴とする、上記第１に記載の飛翔害虫用トラップ。
第３に、
第１支持体と第２支持体とが、四角形状であることを特徴とする、上記第１または第２に記載の飛翔害虫用トラップ。
第４に、
第１支持体と第２支持体とが、三角形状であることを特徴とする、上記第１または第２に記載の飛翔害虫用トラップ。
第５に、
内部に誘引剤を設置することを特徴とする、上記第１〜４のいずれか一つに記載の飛翔害虫用トラップ。
第６に、
誘引剤の設置を、開閉可能なメッシュ保持面で固形状の誘引剤を挟み込むことが可能であると共に、揮発性の誘引剤を収めたボトルを保持することが可能な誘引剤ホルダーを用いることで行うことを特徴とする、上記第５に記載の飛翔害虫用トラップ。
【０００７】
誘引剤ホルダーを第１支持体または第２支持体に取り付けるには、例えば、正方形状の支持体の対角線状に切り込み入れ、誘引成分の飛散状況を考慮して、誘引剤ホルダーの上下端のどちらか一方を嵌め込むようにすることで対応できる。
【０００８】
ここで、第１支持体と第２支持体とで、側面体を組み替え可能にトラップを構成することで、使用者の目的や昆虫の生態に合わせて、トラップの形状自体を変化させることが可能になる。
【０００９】
例えば、第１支持体と第２支持体とが四角形状であって、４枚の側面体を用いると、トラップ全体の形状としては四角柱型になるし、三角形状の第１支持体と第２支持体とを用いると、トラップ全体の形状は三角柱型になるが、これに限定されず、支持体として菱形やより多角形状のものも採用できる。
【００１０】
また、粘着体は、側面体の形状に合致した形状のシート状物の四隅に孔を形成し、該孔を、側面体の表裏両面の上下端の四隅に設けた取付用突起物に組み合わせることで、側面体に取り付けることができる。
【００１１】
該粘着体の取り付けや交換の際には、側面体の外側に粘着体を取り付けた後に、使用状態に合致するように側面体を回転させて、内側に粘着体が位置するように取り扱うことができる。
【００１２】
なお、粘着体の幅と長さを、実体顕微鏡の観察範囲を考慮して死角がないように決定することで、試験の際のカウントを容易にすることが可能になる。
【００１３】
使用に際し、各側面体の回転角度を調節することによって、隣接する側面体同士の隙間を、条件に応じて調節することで、誘引剤の飛散方向の調節等も可能になる。
【００１４】
第１支持体及び第２支持体に、紐を通す孔を形成することで、吊り下げて使用することも可能になる。
【発明の効果】
【００１５】
本発明のトラップは、第１支持体と第２支持体とで、粘着体を取り付け可能な側面体を組み替え可能に支持し、該側面体が、回転可能に取り付けられているので、使用者の目的や昆虫の生態に合わせて使用することができる。
【００１６】
ここで、粘着体の取り付けも、側面体の片面や両面としたり、三角柱型のトラップを横において設置する場合には、底面に位置する側面体の内面だけに取り付けるや、使用しない粘着面を保護する剥離紙を剥がさず予備とする等、条件に応じて自由に決定できる。
【００１７】
また、粘着体は、各形状のトラップに使用できるので、粘着体の共通化を図ることができる。
【００１８】
加えて、本発明のトラップは、在庫や輸送の際には、個々のパーツ毎に分解することができるので、コンパクトな状態で扱うことができるし、破損の際も最低限の必要なパーツを交換するだけで済むので経済的である。
【００１９】
さらに、粘着体を取り付ける側面体を回転可能にしたので、粘着体をトラップの内側に配置する際でも、取り付けや交換が極めて容易となる。
【図面の簡単な説明】
【００２０】
【図１】本発明に係る四角柱型の飛翔害虫用組立トラップの斜視図である。
【図２】本発明に係る三角柱型の飛翔害虫用組立トラップの斜視図である。
【図３】本発明に係る飛翔害虫用組立トラップに用いる誘引剤ホルダーの概略図である。
【図４】本発明に係る飛翔害虫用組立トラップの側面体に取り付ける粘着体の概略図である。
【発明を実施するための形態】
【００２１】
以下に、図面を参照しながら、本発明の実施の形態について説明する。
【００２２】
図１に示す四角柱型の飛翔害虫用組立トラップは、正方形状の第１支持体１と第２支持体２とで、４枚の長方形状の側面体３を、各辺で挟み込むことで組み替え可能に支持したものである。
【００２３】
該側面体３は、第１支持体１及び第２支持体２の４辺各辺の中央部に各々形成された差込部１ａ、差込部２ａに、上端及び下端に各々形成された突起体３ａが、各々着脱可能に差し込まれることで、回転かつ組み替え可能に支持されている。
【００２４】
また、該側面体３の表裏両面の上下端の四隅には、側面体３の形状に合致した長方形状の粘着体４（図４参照）を取り付け可能なように、四隅に取付用突起物３ｂが形成されている。
【００２５】
他方、粘着体４は、図４に示すように、側面体３の形状に合致した形状のシート状物の四隅に取付孔４ａを形成し、該孔４ａを、側面体３に設けた取付用突起物３ｂに引っ掛けるようにすることで、側面体３に取り付けることが可能になる。
【００２６】
図１中、１ｂ、２ｂは、図示は省略する地上設置用棒の上端または懸架設置用棒の下端に組み合わせるための、短筒部を示す。
【００２７】
図２に示す三角柱型の飛翔害虫用組立トラップは、三角形状の第１支持体２１と第２支持体２２とで、６枚の長方形状の側面体３を、各辺で２枚ずつ挟み込むことで組み替え可能に支持したものである。
【００２８】
該三角柱型の飛翔害虫用組立トラップも、四角柱型の飛翔害虫用トラップと同様に、該側面体３は、第１支持体２１及び第２支持体２２の三辺各辺の２カ所に各々形成された差込部２１ａ、差込部２２ａに、上端及び下端に各々形成された突起体３ａが、各々着脱可能に差し込まれることで、回転かつ組み替え可能に支持されている。
【００２９】
該三角柱型の飛翔害虫用組立トラップは、横に倒した状態で使用することもできる。
【００３０】
上記の両タイプの飛翔害虫用組立トラップの内部には、図３に示すような誘引剤ホルダー５を用いて、誘引剤を設置することができる。
【００３１】
該誘引剤ホルダー５は、２枚のメッシュ保持面５１で固形状の誘引剤を開閉可能に挟み込むことができると共に、揮発性の誘引剤を収めたボトルを保持することができるボトル保持部５２を有するものである。
【００３２】
図３中、５３は誘引剤ストッパーでメッシュ保持面５１を上下の２区画に仕切るものであり、５４は２枚のメッシュ保持面５１の蝶番部分であり、５５はボトル側面に形成された切り込みに組み合わせるボトル保持片であり、５６は誘引剤ホルダー５を第１支持体１または第２支持体２に取り付けるための取付突起である。
【００３３】
ここで、四角形状の第１支持体１及び第２支持体２や、三角形状の第１支持体２１及び第２支持体２２とで、必要数の側面体３を組み合わせて構成することで、使用者の目的や昆虫の生態に合わせて、トラップの形状自体を変化させることが可能になる。
【００３４】
そして、粘着体４の取り付けや交換の際には、側面体３の外側に粘着体４を取り付けた後に、使用状態に合致するように側面体３を回転させて、内側に粘着体４が位置するように取り扱うことができる。
【００３５】
使用に際し、各側面体３の回転角度を調節することによって、隣接する側面体３同士の隙間を、条件に応じて調節することが可能になる。
【符号の説明】
【００３６】
１  第１支持体
１ａ  差込部
１ｂ  短筒部
２  第２支持体
２ａ  差込部
２ｂ  短筒部
２１  第１支持体
２１ａ  差込部
２２  第２支持体
２２ａ  差込部
３  側面体
３ａ  突起体
３ｂ  取付用突起物
４  粘着体
４ａ  取付孔
５  誘引剤ホルダー
５１  メッシュ保持面
５２  ボトル保持部
５３  誘引剤ストッパー
５４  蝶番部分
５５  ボトル保持片
５６  取付突起
【先行技術文献】
【特許文献】
【００３７】
【特許文献１】特開２００９−２２５６８７号公報
【図１】
0005684642.tif 000002
【図２】
0005684642.tif 000003
【図３】
0005684642.tif 000004
【図４】
0005684642.tif 000005